(57)【特許請求の範囲】
【請求項１】
撮影装置による映像データの撮影に関連する撮影関連情報を収集する情報収集装置であって、
上記撮影関連情報を外部から収集する収集手段と、
上記映像データに固有の識別情報と上記撮影関連情報とを対応付ける対応付け手段と、
上記対応付け手段によって対応付けた上記撮影関連情報を外部に送信する送信手段とを備え、
上記撮影関連情報は、音声データであり、
上記収集手段によって上記撮影装置から入力した上記音声データを記憶する記憶手段を備える
情報収集装置。
【請求項２】
撮像装置による映像データの撮影に関連する撮影関連情報を収集する情報収集方法であって、
上記撮影関連情報を外部から収集する収集工程と、
上記映像データに固有の識別情報と上記撮影関連情報とを対応付ける対応付け工程と、
上記対応付け工程にて対応付けた上記撮影関連情報を外部に送信する送信工程とを有し、
上記撮影関連情報は、音声データであり、
上記収集工程にて上記撮影装置から入力した上記音声データを記憶手段に記憶する
情報収集方法。
【請求項３】
撮影装置によって撮影された映像データに固有の識別情報に対応付けられた上記映像データの撮影に関連する撮影関連情報を処理する情報処理装置であって、
上記撮影関連情報を外部から受信する受信手段と、
上記受信手段によって受信した上記撮影関連情報を保存する記憶手段と、
上記撮影関連情報に基づいて、上記映像データの編集を行うための編集データを少なくとも含むデータを作成するデータ作成手段と、
上記データを外部に送信する送信手段とを備え、
上記データ作成手段は、上記受信手段により外部情報データベースから受信した情報の中から、予め登録されていたキーワードに基づいて情報を抽出して関連情報を作成し、
上記送信手段は、上記関連情報を情報収集装置に送信する
情報処理装置。
【請求項４】
撮影装置によって撮影された映像データに固有の識別情報に対応付けられた上記映像データの撮影に関連する撮影関連情報を処理する情報処理装置であって、
上記撮影関連情報を外部から受信する受信手段と、
上記受信手段によって受信した上記撮影関連情報を保存する記憶手段と、
上記撮影関連情報に基づいて、上記映像データの編集を行うための編集データを少なくとも含むデータを作成するデータ作成手段と、
上記データを外部に送信する送信手段とを備え、
上記データ作成手段は、上記受信手段により外部から受信した上記撮影関連情報に基づいて情報を外部情報データベースから検出して関連情報を作成し、
上記送信手段は、上記関連情報を情報収集装置に送信する
情報処理装置。
【請求項５】
上記関連情報は、少なくとも地図情報を含む
請求項４記載の情報処理装置。
【請求項６】
上記関連情報は、ＵＲＬのリストとして送信される
請求項４記載の情報処理装置。
【請求項７】
撮影装置によって撮影された映像データに固有の識別情報に対応付けられた上記映像データの撮影に関連する撮影関連情報を処理する情報処理装置であって、
上記撮影関連情報を外部から受信する受信手段と、
上記受信手段によって受信した上記撮影関連情報を保存する記憶手段と、
上記撮影関連情報に基づいて、上記映像データの編集を行うための編集データを少なくとも含むデータを作成するデータ作成手段と、
上記データを外部に送信する送信手段とを備え、
上記送信手段は、上記撮影関連情報の中からユーザが指定した項目を１つのファイルとして情報収集装置に送信する
情報処理装置。
【請求項８】
撮影装置によって撮影された映像データに固有の識別情報に対応付けられた上記映像データの撮影に関連する撮影関連情報を処理する情報処理方法であって、
上記撮影関連情報を外部から受信する受信工程と、
上記受信工程にて受信した上記撮影関連情報を記憶手段に保存する保存工程と、
上記撮影関連情報に基づいて、上記映像データの編集を行うための編集データを少なくとも含むデータを作成するデータ作成工程と、
上記データを外部に送信する送信工程とを有し、
上記データ作成工程では、上記受信工程にて外部情報データベースから受信した情報の中から、予め登録されていたキーワードに基づいて情報を抽出して関連情報を作成し、
上記送信工程では、上記関連情報を情報収集装置に送信する
情報処理方法。
【請求項９】
撮影装置によって撮影された映像データに固有の識別情報に対応付けられた上記映像データの撮影に関連する撮影関連情報を処理する情報処理方法であって、
上記撮影関連情報を外部から受信する受信工程と、
上記受信工程にて受信した上記撮影関連情報を記憶手段に保存する保存工程と、
上記撮影関連情報に基づいて、上記映像データの編集を行うための編集データを少なくとも含むデータを作成するデータ作成工程と、
上記データを外部に送信する送信工程とを有し、
上記データ作成工程では、上記受信工程にて外部から受信した上記撮影関連情報に基づいて情報を外部情報データベースから検出して関連情報を作成し、
上記送信工程では、上記関連情報を情報収集装置に送信する
情報処理方法。
【請求項１０】
撮影装置によって撮影された映像データに固有の識別情報に対応付けられた上記映像データの撮影に関連する撮影関連情報を処理する情報処理方法であって、
上記撮影関連情報を外部から受信する受信工程と、
上記受信工程にて受信した上記撮影関連情報を記憶手段に保存する保存工程と、
上記撮影関連情報に基づいて、上記映像データの編集を行うための編集データを少なくとも含むデータを作成するデータ作成工程と、
上記データを外部に送信する送信工程とを有し、
上記送信工程では、上記撮影関連情報の中からユーザが指定した項目を１つのファイルとして情報収集装置に送信する
情報処理方法。
【発明の詳細な説明】
【０００１】
【発明の属する技術分野】
本発明は、いわゆるロケ撮影によって撮影した映像データに基づいて編集制作を行う際に、映像データ以外の情報を収集し、その収集された情報から必要な情報を生成する情報収集及び生成システムに用いられる情報収集装置及び方法、並びに情報処理装置及び方法に関する。
【０００２】
【従来の技術】
現在、撮影所以外で実際の景色や建造物を背景に撮影を行う、いわゆるロケ撮影が頻繁に行われている。
【０００３】
また、ロケ撮影で撮影された映像データと連携して映像データに収録された内容を記述したデータ（以下、メタデータという。）を入力し、編集作業時の利用、及び二次活用の際の付加価値を生むものとしようとしている。メタデータとしては、例えば、撮影予定日、撮影場所、プロデューサー名、撮影者名、取材対象者名、取材先の連絡先、使用予定番組名等がある。
【０００４】
また、編集時には、編集データを別途作成し、これに基づいて編集作業を行っている。
【０００５】
【発明が解決しようとする課題】
しかし、編集制作装置毎に必要なデータが異なる、或いは、データフォーマットが異なる等の理由により、メタデータのフォーマット化は、進んでいない。また、メタデータを撮影用テープ等に記録して映像データと同時に管理しようとしているため、容量の制限が生じやすく、必ずしも使いやすいものではない。
【０００６】
また、取材にまつわる様々な情報は、全て手入力しなければならず、効率が悪い。
【０００７】
さらに、取材した情報は、システムとして管理されているが、実際に撮影してきた撮影用テープとは、連動していないため、制作時等に対応付けする必要がある。
【０００８】
本発明は、このような従来の実情に鑑みて提案されたものであり、映像データ、映像データに関する情報、及び編集データを分離して管理することができる情報収集及び生成システムに用いられる情報収集装置及び方法、並びに情報処理装置及び方法を提供することを目的とする。
【０００９】
【課題を解決するための手段】
上述した目的を達成するために、本発明に係る情報収集及び生成システムは、映像データを撮影する撮影装置と、撮影装置による映像データの撮影に関連する撮影関連情報を外部から収集し、映像データに固有の識別情報と撮影関連情報とを対応付ける情報収集装置と、情報収集装置によって対応付けられた撮影関連情報を保存するとともに、対応付けられた撮影関連情報に基づいて、映像データの編集を行うための編集データを少なくとも含むデータを生成する情報処理装置と、識別情報に基づいて、情報処理装置からデータを取り込み、映像データの編集及び映像データに基づく制作を行う編集制作装置とを備える。
【００１０】
このような情報収集及び生成システムは、撮像装置による映像データと、映像データに収録された内容を記述したメタデータと、映像データを編集するための編集データを別々に管理する。
【００１１】
また、本発明に係る情報収集及び生成方法は、撮影装置による映像データの撮影に関連する撮影関連情報を情報収集装置によって外部から収集し、映像データに固有の識別情報と撮影関連情報とを情報収集装置によって対応付けて情報処理装置に送信し、情報収集装置によって対応付けられた撮影関連情報を情報処理装置によって保存し、対応付けられた撮影関連情報に基づいて、映像データの編集を行うための編集データを少なくとも含むデータを情報処理装置によって作成し、編集制作装置により、識別情報に基づいて、情報処理装置からデータを取り込み、映像データの編集及び映像データに基づく制作を行う。
【００１２】
このような情報収集及び生成方法により、撮像装置による映像データと、映像データに収録された内容を記述したメタデータと、映像データを編集するための編集データが別々に管理される。
【００１３】
本発明に係る情報収集装置は、撮影装置による映像データの撮影に関連する撮影関連情報を収集する情報収集装置であって、上記撮影関連情報を外部から収集する収集手段と、上記映像データに固有の識別情報と上記撮影関連情報とを対応付ける対応付け手段と、上記対応付け手段によって対応付けた上記撮影関連情報を外部に送信する送信手段とを備え、上記撮影関連情報は、音声データであり、上記収集手段によって上記撮影装置から入力した上記音声データを記憶する記憶手段を備える。
【００１４】
このような情報収集装置は、映像データの撮影と同時にメタデータやその他の撮影関連情報を収集し、収集した情報を映像データに固有の識別情報と対応付ける。
【００１５】
また、本発明に係る情報収集方法は、撮像装置による映像データの撮影に関連する撮影関連情報を収集する情報収集方法であって、撮影関連情報を外部から収集する収集工程と、映像データに固有の識別情報と撮影関連情報とを対応付ける対応付け工程と、対応付け工程にて対応付けた撮影関連情報を外部に送信する送信工程とを有し、上記撮影関連情報は、音声データであり、上記収集工程にて上記撮影装置から入力した上記音声データを記憶手段に記憶する。
【００１６】
このような情報収集装置により、映像データの撮影と同時にメタデータやその他の撮影関連情報が収集でき、収集した情報は、映像データに固有の識別情報と対応付けられる。
【００１７】
また、本発明に係る記録媒体は、撮影装置による映像データの撮影に関連する撮影関連情報を収集するコンピュータ制御可能な情報収集プログラムが記録された記録媒体であって、情報収集プログラムは、撮影関連情報を外部から収集する収集工程と、映像データに固有の識別情報と撮影関連情報とを対応付ける対応付け工程と、対応付け工程にて対応付けた撮影関連情報を外部に送信する送信工程とを有することを特徴とする情報収集プログラムが記録されたものである。
【００１８】
このような記録媒体により、特別な装置がなくても映像データの撮影と同時にメタデータやその他の撮影関連情報が収集でき、収集した情報は、映像データに固有の識別情報と対応付けられる。
【００１９】
また、本発明に係る情報処理装置は、撮影装置によって撮影された映像データに固有の識別情報に対応付けられた上記映像データの撮影に関連する撮影関連情報を処理する情報処理装置であって、上記撮影関連情報を外部から受信する受信手段と、上記受信手段によって受信した上記撮影関連情報を保存する記憶手段と、上記撮影関連情報に基づいて、上記映像データの編集を行うための編集データを少なくとも含むデータを作成するデータ作成手段と、上記データを外部に送信する送信手段とを備え、上記データ作成手段は、上記受信手段により外部情報データベースから受信した情報の中から、予め登録されていたキーワードに基づいて情報を抽出して関連情報を作成し、上記送信手段は、上記関連情報を情報収集装置に送信する。
また、本発明に係る情報処理装置は、撮影装置によって撮影された映像データに固有の識別情報に対応付けられた上記映像データの撮影に関連する撮影関連情報を処理する情報処理装置であって、上記撮影関連情報を外部から受信する受信手段と、上記受信手段によって受信した上記撮影関連情報を保存する記憶手段と、上記撮影関連情報に基づいて、上記映像データの編集を行うための編集データを少なくとも含むデータを作成するデータ作成手段と、上記データを外部に送信する送信手段とを備え、上記データ作成手段は、上記受信手段により外部から受信した上記撮影関連情報に基づいて情報を外部情報データベースから検出して関連情報を作成し、上記送信手段は、上記関連情報を情報収集装置に送信する。
また、本発明に係る情報処理装置は、撮影装置によって撮影された映像データに固有の識別情報に対応付けられた上記映像データの撮影に関連する撮影関連情報を処理する情報処理装置であって、上記撮影関連情報を外部から受信する受信手段と、上記受信手段によって受信した上記撮影関連情報を保存する記憶手段と、上記撮影関連情報に基づいて、上記映像データの編集を行うための編集データを少なくとも含むデータを作成するデータ作成手段と、上記データを外部に送信する送信手段とを備え、上記送信手段は、上記撮影関連情報の中からユーザが指定した項目を１つのファイルとして情報収集装置に送信する。
【００２０】
このような情報処理装置は、映像データに固有の識別情報に対応付けられたメタデータ等の撮影関連情報を保存し、必要に応じて外部に送信する。また、編集データ等のデータを作成する。
【００２１】
また、本発明に係る情報処理方法は、撮影装置によって撮影された映像データに固有の識別情報に対応付けられた上記映像データの撮影に関連する撮影関連情報を処理する情報処理方法であって、上記撮影関連情報を外部から受信する受信工程と、上記受信工程にて受信した上記撮影関連情報を記憶手段に保存する保存工程と、上記撮影関連情報に基づいて、上記映像データの編集を行うための編集データを少なくとも含むデータを作成するデータ作成工程と、上記データを外部に送信する送信工程とを有し、上記データ作成工程では、上記受信工程にて外部情報データベースから受信した情報の中から、予め登録されていたキーワードに基づいて情報を抽出して関連情報を作成し、上記送信工程では、上記関連情報を情報収集装置に送信する。
また、本発明に係る情報処理方法は、撮影装置によって撮影された映像データに固有の識別情報に対応付けられた上記映像データの撮影に関連する撮影関連情報を処理する情報処理方法であって、上記撮影関連情報を外部から受信する受信工程と、上記受信工程にて受信した上記撮影関連情報を記憶手段に保存する保存工程と、上記撮影関連情報に基づいて、上記映像データの編集を行うための編集データを少なくとも含むデータを作成するデータ作成工程と、上記データを外部に送信する送信工程とを有し、上記データ作成工程では、上記受信工程にて外部から受信した上記撮影関連情報に基づいて情報を外部情報データベースから検出して関連情報を作成し、上記送信工程では、上記関連情報を情報収集装置に送信する。
また、本発明に係る情報処理方法は、撮影装置によって撮影された映像データに固有の識別情報に対応付けられた上記映像データの撮影に関連する撮影関連情報を処理する情報処理方法であって、上記撮影関連情報を外部から受信する受信工程と、上記受信工程にて受信した上記撮影関連情報を記憶手段に保存する保存工程と、上記撮影関連情報に基づいて、上記映像データの編集を行うための編集データを少なくとも含むデータを作成するデータ作成工程と、上記データを外部に送信する送信工程とを有し、上記送信工程では、上記撮影関連情報の中からユーザが指定した項目を１つのファイルとして情報収集装置に送信する。
【００２２】
このような情報処理方法により、映像データに固有の識別情報に対応付けられたメタデータ等の撮影関連情報が保存され、撮影関連情報は、必要に応じて外部に送信される。また、編集データ等のデータが作成される。
【００２３】
また、本発明に係る記録媒体は、撮影装置によって撮影された映像データに固有の識別情報に対応付けられた映像データの撮影に関連する撮影関連情報を処理するコンピュータ制御可能な情報収集プログラムが記録された記録媒体であって、情報処理プログラムは、撮影関連情報を外部から受信する受信工程と、受信工程にて受信した撮影関連情報を記憶手段に保存する保存工程と、撮影関連情報に基づいて、映像データの編集を行うための編集データを少なくとも含むデータを作成するデータ作成工程と、データを外部に送信する送信工程とを有することを特徴とする情報処理プログラムが記録されたものである。
【００２４】
このような記録媒体により、特別な装置がなくても映像データに固有の識別情報に対応付けられたメタデータ等の撮影関連情報が保存され、撮影関連情報は、必要に応じて外部に送信される。また、編集データ等のデータが作成される。
【００２５】
また、本発明に係る編集制作装置は、撮影装置によって撮影された映像データの編集及び映像データに基づく制作を行う編集制作装置であって、映像データに固有の識別情報に基づいて、情報処理装置に保存されている映像データの編集を行うための編集データを少なくとも含むデータを取り込む取込手段と、取込手段によって取り込んだデータに基づいて、映像データの編集及び映像データに基づく制作を行う処理手段とを備える。
【００２６】
このような編集制作装置は、映像データに固有の識別情報と対応付けられた編集データ等のデータを取り込み、映像データの編集及び映像データに基づく制作を行う。
【００２７】
また、本発明に係る編集制作方法は、撮影装置によって撮影された映像データの編集及び映像データに基づく制作を行う編集制作方法であって、映像データに固有の識別情報に基づいて、情報処理装置に保存されている映像データの編集を行うための編集データを少なくとも含むデータを取り込む取込工程と、取込工程にて取り込んだデータに基づいて、映像データの編集及び映像データに基づく制作を行う処理工程とを有する。
【００２８】
このような編集制作方法により、映像データに固有の識別情報と対応付けられた編集データ等のデータが取り込まれ、映像データの編集及び映像データに基づく制作が行われる。
【００２９】
また、本発明に係る記録媒体は、撮影装置によって撮影された映像データの編集及び映像データに基づく制作を行うコンピュータ制御可能な編集制作プログラムが記録された記録媒体であって、編集制作プログラムは、映像データに固有の識別情報に基づいて、情報処理装置に保存されている映像データの編集を行うための編集データを少なくとも含むデータを取り込む取込工程と、取込工程にて取り込んだデータに基づいて、映像データの編集及び映像データに基づく制作を行う処理工程とを有することを特徴とする編集制作プログラムが記録されたものである。
【００３０】
このような記録媒体により、特別な装置がなくても映像データに固有の識別情報と対応付けられた編集データ等のデータが取り込まれ、映像データの編集及び映像データに基づく制作が行われる。
【００３１】
【発明の実施の形態】
以下、本発明の実施の形態について、図面を参照して詳細に説明する。
【００３２】
（１）全体構成
本発明の実施の形態は、図１に示すようにいわゆるロケ撮影を行った映像データと、映像データに収録された内容を記述したデータ（以下、メタデータという。）と、映像データを編集するための編集（EDL:Edit Decision List）データ（以下、ＥＤＬデータという。）とを、撮影用テープに貼付した非接触型記憶媒体に固有のＩＤ情報によって対応付けられた状態で分離して管理し、編集時にそれぞれを当該ＩＤ情報を基にマッチングを取ることができる情報収集及び生成システム１である。
【００３３】
情報収集及び生成システム１は、撮影部２と、情報保存部３と、編集制作部４とを備える。なお、図１は、当該情報収集及び生成システム１の概念構成図であって、その構成がこれに限られるものではない。
【００３４】
図１に示すように、撮影部２と情報保存部３とは、無線通信網で接続されている。また、情報保存部３と編集制作装置４とは、例えばインターネットで接続されている。なお、インターネットに限られるものではなく、例えば一般公衆網、専用線網、ＡＴＭ網その他の通信網であっても構わない。
【００３５】
（１−１）撮影部
撮影部２は、画像を撮影して撮影用テープ１１に記録するビデオカメラ１０と、撮影中に随時メタデータ、その他の関連情報等の撮影関連情報を入力する携帯情報端末であるＰＤＡ（Personal Digital Assistant）２０と、ＰＤＡ２０に保存されているデータをサーバに送信するための携帯端末３０とを備える。ビデオカメラ１０とＰＤＡ２０とは、ＵＳＢ（Universal Serial Bus ）、同軸ケーブル等によって有線接続されたり、又はいわゆるＢｌｕｅＴｏｏｔｈ等によって無線接続されている。
【００３６】
ビデオカメラ１０は、画像を撮影して撮影用テープ１１に記録する。撮影の際には、この撮影用テープ１１に非接触型記憶媒体１２を貼付する。非接触型記憶媒体１２は、固有のＩＤ情報を持っており、テープフォーマットが予め入力されている。また、非接触型記憶媒体１２は、例えば、撮影フォーマット、圧縮レート、編集制作装置ＩＤ情報、撮影者ＩＤ情報、時間情報等が入力可能である。
【００３７】
ビデオカメラ１０は、非接触型記憶媒体１２の読み書き、上書きを行うことができる。すなわち、上述したような、撮影フォーマット、圧縮レート、編集制作装置ＩＤ情報、撮影者ＩＤ情報の読み書き、上書きを行うことができる。また、ビデオカメラ１０は、新しい撮影用テープ１１を装着して撮影が開始された時点の時間情報等をＰＤＡ２０から入力し、非接触型記憶媒体１２に記憶することができる。
ビデオカメラ１０は、録画開始の開始信号をＰＤＡ２０に送信し、ＰＤＡ２０は、その開始信号毎の時間情報、位置情報を記録する。シーンチェンジにより撮影地点が変更され、新たに録画を開始するときにも、ビデオカメラ１０は、録画開始の開始信号をＰＤＡ２０に送信し、ＰＤＡ２０は、その開始信号毎の時間情報、位置情報を記録する。
【００３８】
また、ビデオカメラ１０は、撮影開始及び終了を通知する信号、編集点（イン点、アウト点）を通知する信号等をＰＤＡ２０に送信する。この場合、ＰＤＡ２０は、その信号を入力した時点の時間情報を記録する。
【００３９】
さらに、ビデオカメラ１０は、シーンチェンジに相当する録画開始時の静止画を取り込む機能を持っている場合もある。この場合、取り込まれた静止画は、ＰＤＡ２０に送信され、ＰＤＡ２０は、その静止画を時間情報と併せて記録する。
【００４０】
なお、撮影用テープ１１に貼付するのは、上述したような非接触型記憶媒体１２に限定されるものではなく、バーコードであっても構わない。この場合、上述したような撮影フォーマット、圧縮レート、編集制作装置ＩＤ情報、撮影者ＩＤ情報、時間情報等を予めカテゴリー化し、バーコードとして撮影時に撮影用テープ１１に貼付する。
【００４１】
また、非接触型記憶媒体１２には、上述した情報の一部のみを入力し、残りの情報については、カテゴリー化されたバーコードシートから後述するＰＤＡ２０にバーコード入力するようにしても構わない。
【００４２】
このように、ビデオカメラ１０は、撮影中に随時メタデータや編集点の情報等の撮影関連情報をＰＤＡ２０に送信する。
【００４３】
ＰＤＡ２０は、図２に示すように、ＰＤＡ２０の各部を制御するＣＰＵ（Central Processing Unit）２１と、ＧＰＳ（Global Positioning System）を使って位置情報や時間情報を収集するＧＰＳ受信部２２と、ユーザが必要な情報を入力するための入力部２３と、撮影用テープ１１に貼付された非接触型記憶媒体１２に記憶されている内容を読み取る読取部２４と、ビデオカメラ１０及び情報保存部３と直接又は後述する携帯端末３０を介してデータの送受信を行う通信部２５と、音声データを入力する音声入力部２６と、メタデータ、その他の関連情報等を記憶する記憶部２７と、各種データを表示する表示部２８とを有する。
【００４４】
ＧＰＳ受信部２２は、撮影地の位置情報や時間情報を収集する。例えば、ビデオカメラ１０から撮影開始及び終了、又は編集点（イン点、アウト点）等の信号が通知されると、ＧＰＳ受信部２２は、その信号が通知された時点の時間情報を受け取る。また、ＧＰＳ受信部２２は、録画開始時、終了時の時間情報も受け取る。さらに、ＧＰＳ受信部２２は、撮影地点が変更されて録画が開始された時点の位置情報も受け取る。勿論、これらの場合に限定されるものではなく、ＧＰＳ受信部２２は、必要に応じて随時位置情報、時間情報を受け取る。
【００４５】
入力部２３は、例えばキーボードである。ユーザは、この入力部２３により、例えば、撮影地の情報、映像の編集情報、被写体に関する情報、肖像権に関する項目、連絡先、有効期間等のメタデータを入力することができる。勿論、全ての情報を入力する必要はない。なお、これらの情報は、後述する表示部２８でペン入力により入力することも可能である。
【００４６】
読取部２４は、撮影用テープ１１に貼付された非接触型記憶媒体１２に記録されている内容、例えば、編集制作装置ＩＤ情報、撮影者ＩＤ情報、撮影開始時間情報、テープＩＤ情報等を読み込む。撮影開始時には、撮影用テープ１１に貼付された非接触型記憶媒体１２に固有のＩＤ情報を読み込み、そのＩＤ情報とＰＤＡ２０に入力されるメタデータ、その他の撮影に関する情報等とを対応付ける。
【００４７】
なお、読取部２４は、バーコードに記録された上記内容を読み取るものであっても構わない。この場合、読取部２４は、予めカテゴリー化されて記録された上記内容をバーコードから読み込む。
【００４８】
また、状況によっては、読取部２４は、テープＩＤ情報のみを読み込む。編集制作装置ＩＤ情報、撮影者ＩＤ情報、撮影開始時間情報等については、別途入力部２３等で入力するか、又は読取部２４によりバーコードシートから読み込む。
【００４９】
通信部２５は、ビデオカメラ１０、情報保存部３、及び編集制作端末５０と直接又は後述する携帯端末３０を介してデータの送受信を行う。
【００５０】
ビデオカメラ１０からＰＤＡ２０には、例えば、非接触型記憶媒体１２に記憶されているテープＩＤ情報、撮影開始及び終了を通知する信号、編集点（イン点、アウト点）を通知する信号等が送信される。なお、ビデオカメラ１０によっては、撮影開始時における静止画情報を送信できるものがあり、この静止画情報も通信部２５に入力される。
【００５１】
ＰＤＡ２０からビデオカメラ１０には、ＧＰＳ受信部２２で収集した時間情報の他、非接触型記憶媒体１２の領域に記憶可能な情報で、ユーザが必要と認めた情報、例えば撮影者等の情報が送信される。
【００５２】
情報保存部３からＰＤＡ２０には、例えば、ユーザが撮影前に予め登録したキーワードに基づいて情報保存部３が検索した情報や、ＰＤＡ２０のＧＰＳ受信部２２で収集された撮影地の位置情報に基づいて情報保存部３が検索した撮影地付近の地図情報等の撮影関連情報が送信される。
【００５３】
ＰＤＡ２０から情報保存部３には、例えば、メタデータやＧＰＳ受信部２２で収集された位置情報、時間情報等が随時送信される。
【００５４】
なお、情報保存部３とＰＤＡ２０との間のデータの送受信は、後述する携帯端末３０を介して行われる。
【００５５】
編集制作端末５０からＰＤＡ２０には、撮影前に既に入力され後述する取材データベース５１に記録されている取材に関する内容、例えば、撮影予定日、撮影場所、プロデューサー名、撮影者名、取材対象者名、取材先の連絡先、使用予定番組名等がダウンロードされる。勿論、これらの項目に限定されるものではない。
【００５６】
音声入力部２６は、撮影中の必要と思われるカットの音声データを入力し、音声ファイルとして後述する記憶部２７に保存する。なお、この際には、当該カットの時間情報も併せてＧＰＳ受信部２２で収集し、同様に記憶部２７に保存する。
【００５７】
記憶部２７は、例えば、ビデオカメラ１０、情報保存部３から送信された情報や、ＧＰＳ受信部２２で収集した位置情報及び時間情報や、音声入力部２６で入力した撮影の音声データ等を記憶する。
【００５８】
表示部２８は、情報保存部３から送信されたデータや、撮影地付近の地図情報等を表示する。なお、上述したように、ユーザは、撮影関連情報や編集情報等を表示部２８でペン入力により入力することも可能である。
【００５９】
ＰＤＡ２０は、上述のような構成により、ビデオカメラ１０、情報保存部３、編集制作装置４の間のデータの中継をする。すなわち、撮影中に撮影関連情報、位置情報及び時間情報、編集データ等を収集することができ、また、情報保存部３から送信された撮影に関する情報を表示することができる。
【００６０】
携帯端末３０は、例えばＰＨＳ（Personal Handyphone System）や携帯電話等の携帯電話機であり、ＰＤＡ２０と情報保存部３との間のデータの送受信を中継する。
【００６１】
（１−２）情報保存部
情報保存部３の機能は、撮影前、ロケ撮影時、及び編集制作時におけるものに分類される。以下、順に説明する。
【００６２】
先ず、撮影前の機能について説明する。情報サーバ４０と後述する編集制作装置４の取材データベース５１とは、ネットワークで接続されており、ユーザが後述する編集制作端末５０で取材先に関連するキーワードを入力すると、このキーワードは、ネットワークを介して情報サーバ４０に登録される。
【００６３】
情報サーバ４０は、外部の情報データベースと例えばインターネット等のネットワークで接続されている。情報データベースは、１つに限らず、複数と接続されていても構わない。
【００６４】
情報サーバ４０は、例えば指定した内容について自動的に送信するプッシュ型の情報データベースから送られてくる情報を、事前に登録されたキーワードと照会し、取材に関連する情報を保存する。
【００６５】
続いて、ロケ撮影時の機能について説明する。情報サーバ４０は、予め収集し、保存しておいた取材に関連する情報をＰＤＡ２０に送信する。これにより、ユーザは、撮影先においても登録したキーワードに関する最新の情報を入手することができ、これを例えばニュース原稿に盛り込むことができる。
【００６６】
また、情報サーバ４０は、ＰＤＡ２０から送信されたメタデータや編集データ等を保存し、その中で所望の情報をキーワードにして、関連する情報を検索し、ＵＲＬ（Uniform Resource Locator）のリストとしてＰＤＡ２０に送信する。ユーザは、そのＵＲＬのリストを参照して、所望の情報をＰＤＡ２０の表示部２８に表示させることができる。
【００６７】
さらに、情報サーバ４０は、ＰＤＡ２０から撮影地の位置情報を入力すると、外部の情報データベースにアクセスし、撮影地付近の地図情報を作成してＰＤＡ２０に送信する。
【００６８】
さらにまた、情報サーバ４０は、ＰＤＡ２０から送信された編集点（イン点、アウト点）についての情報をユーザの指定するＥＤＬフォーマットに変換し、ＥＤＬデータとして保存する。ＰＤＡ２０に音声データが記憶されている場合、ユーザは、音声情報を聞いて、その音声から編集点（イン点、アウト点）を指定することができる。この場合、情報サーバ４０は、この編集点を基に指定されたＥＤＬフォーマットに変換し、ＥＤＬデータとして保存する。
【００６９】
情報サーバ４０は、１つのテープＩＤ情報に関してＰＤＡ２０から送信された情報から、ユーザが指定した項目を１つのファイルとしてＰＤＡ２０に送信する機能も持つ。
【００７０】
次に、編集制作時の機能について説明する。ユーザは、撮影済みの撮影用テープ１１を編集する際に、当該テープに貼付された非接触型記憶媒体１２に記憶されたテープＩＤ情報をＰＤＡ２０の読取部２４で読み取り、該当するＥＤＬデータを情報サーバ４０に問い合わせる。情報サーバ４０は、これに応じて当該ＥＤＬデータを後述する編集制作装置４の編集機器５２に送信する。また、ユーザからの要求に応じて、当該テープＩＤ情報に対応するメタデータ及び情報サーバ４０が自動収集した取材に関連する情報等を編集制作装置４の編集制作端末５０に送信する。後述するように、編集制作装置４では、これらのＥＤＬデータやメタデータ、関連情報等を基に撮影用テープ１１に記録された内容を編集処理する。
【００７１】
情報保存部３は、上述のような機能を持つことで、撮影と同時に撮影に関係する情報を収集し、撮影地のＰＤＡ２０に供給することが可能となる。
【００７２】
これによりユーザは、既存の情報データベースに登録されている情報を自由に活用し、情報入力の手間を省くことができる。
【００７３】
また、ＰＤＡ２０から送信された位置情報に基づいて撮影地付近の地図情報を自動収集することで、撮影地のＰＤＡ２０に地図情報を送信することができる。
【００７４】
さらに、撮影地のユーザは、情報サーバ４０から送信されＰＤＡ２０に保存された地図情報、関連情報、及びユーザがＰＤＡ２０に入力した撮影関連情報を修正することで、そのまま、ＢＭＬ（Broadcast Markup Language）、ＸＭＬ（eXtensible Markup Language）等のデータ放送用フォーマットに出力することが可能となる。
【００７５】
（１−３）編集制作装置
編集制作装置４は、編集制作端末５０と、取材データベース５１と、編集機器５２とを備えており、取材データベース５１と上述した情報サーバ４０とは、例えばインターネットであるネットワークで接続されている。その機能は、撮影前におけるものと、編集時におけるものとに分類される。
【００７６】
先ず、撮影前の機能について説明する。編集制作端末５０は、既に入力され取材データベース５１に記憶されている取材に関係する内容、例えば、撮影予定日、撮影場所、プロデューサー名、撮影者名、取材対象者名、取材先の連絡先、使用予定番組名等をＰＤＡ２０にダウンロードする。ここでダウンロードされた情報は、ＰＤＡ２０上で編集可能であり、かつ、撮影先で編集した当該情報も取材データベース５１内の情報とシンクロナイズさせることが可能である。なお、上述したこれらの各項目は、ユーザが使用する社内システムによってカスタマイズ可能である。
【００７７】
また、ユーザが編集制作端末５０で取材先に関連するキーワードを入力すると、このキーワードは、ネットワークを介して情報サーバ４０に登録される。上述したように、情報サーバ４０は、他の情報データベースと例えばインターネット等のネットワークで接続されており、例えば指定した内容について自動的に送信するプッシュ型の情報データベースから送られてくる情報を、事前に登録されたキーワードと照会し、取材に関連する情報をＰＤＡ２０に送信する。
【００７８】
続いて、編集時の機能について説明する。ユーザは、撮影済みの撮影用テープ１１を編集する際に、当該テープに貼付された非接触型記憶媒体１２に記憶されたテープＩＤ情報をＰＤＡ２０の読取部２４で読み取り、該当するＥＤＬデータを情報サーバ４０に問い合わせる。情報サーバ４０は、これに応じて当該ＥＤＬデータを後述する編集制作装置４の編集機器５２に送信する。また、ユーザからの要求に応じて、当該テープＩＤ情報に対応するメタデータ及び情報サーバ４０が自動収集した取材に関連する情報等を編集制作装置４の編集制作端末５０に送信する。編集制作装置４では、これらのＥＤＬデータやメタデータ、関連情報等を基に撮影用テープ１１に記録された内容を編集処理する。
【００７９】
このように、撮影データとメタデータとが対応付けされた状態で分離して管理されているので容量の制限が生じにくく、ユーザは、自由にメタデータを作成することができる。また、編集データは、情報サーバ４０において編集時には既に作成されているので、編集作業が容易となる。
【００８０】
（２）情報収集及び生成システムの一連の動作
次に、本実施の形態における情報収集及び生成システム１の一連の動作を図３に示す。情報収集及び生成システム１の一連の動作は、大きく分けると、ステップＳ１０における取材前の基礎データ入力、ステップＳ２０におけるロケ撮影、ステップＳ３０における編集制作となる。以下、各ステップについて詳しく説明する。
【００８１】
（２−１）取材前の基礎データ入力
はじめに、取材前の基礎データ入力における手順について図４、図５を参照しながら説明する。先ず、ステップＳ１１において、ＰＤＡ２０は、基礎データを入力する。すなわち、編集制作端末５０は、既に入力され取材データベース５１に記憶されている取材に関係する内容、例えば、撮影予定日、撮影場所、プロデューサー名、撮影者名、取材対象者名、取材先の連絡先、使用予定番組名等をＰＤＡ２０にダウンロードする。なお、これらの各項目は、上述したように、ユーザが使用する社内システムによってカスタマイズ可能であり、また、その項目もこれらに限定されるものではない。
【００８２】
続いて、ステップＳ１２において、取材先に関連するキーワードを編集制作端末５０に入力する。入力されたキーワードは、ネットワークを介して情報サーバ４０に送信され、ステップＳ１３において、情報サーバ４０に登録される。
【００８３】
情報サーバ４０は、他の情報データベースと例えばインターネット等のネットワークで接続されており、ステップＳ１４において、例えばプッシュ型の情報データベースから送られてくる情報を、事前に登録されたキーワードと照会し、取材に関連する情報を保存する。
【００８４】
（２−２）ロケ撮影
次に、ロケ撮影時における手順について図６、図７を参照しながら説明する。先ず、ステップＳ２１において、ロケ撮影地にて、撮影前の初期化を行う。すなわち、実際に撮影に使用される撮影用テープ１１に非接触型記憶媒体１２を貼り付ける。この非接触型記憶媒体１２には、上述したように、テープフォーマットが予め入力されている。また、非接触型記憶媒体１２は、例えば、撮影フォーマット、圧縮レート、編集制作装置ＩＤ情報、撮影者ＩＤ情報、時間情報等が入力可能である。ＰＤＡ２０は、この非接触型記憶媒体１２のＩＤ情報を、ステップＳ１１で予め入力した基本データに関連させて読み込む。この際に、ＰＤＡ２０は、ＧＰＳ受信部２２で受け取った時間情報とビデオカメラ１０の時刻の同期を取る。
【００８５】
ステップＳ２２において撮影が開始されると、ビデオカメラ１０は、例えば、ＵＳＢ、同軸ケーブル等の有線や、いわゆるＢｌｕｅＴｏｏｔｈ等の無線経由で撮影開始を通知する信号をＰＤＡ２０に送る。ＰＤＡ２０は、その撮影開始信号をＧＰＳ受信部２２で受け取った開始時点の時間情報と併せて保存する。
【００８６】
撮影中に必要と思われるカットは、音声ファイルとしてＰＤＡ２０に保存する。この際、ＰＤＡ２０は、当該カットの時間情報も保存する。また、ＰＤＡ２０は、録画開始時、録画終了時の時間情報を随時ＧＰＳ受信部２２で受け取って保存する。
【００８７】
ビデオカメラ１０によっては、録画開始時のカットを静止画として取り込むことのできるものがある。この場合、取り込まれたカットは、ＰＤＡ２０に送信されて、そのカットの時間情報と併せて保存される。また、ロケ撮影開始時やロケ撮影中に撮影ポイントが変わった際には、ＰＤＡ２０は、随時ＧＰＳ受信部２２で位置情報を保存する。
【００８８】
ビデオカメラ１０からＰＤＡ２０には、この他に編集点（イン点、アウト点）を通知する信号が送られる。ＰＤＡ２０は、この編集点が通知された時点の時間情報もＧＰＳ受信部２２で受け取って保存する。
【００８９】
ＰＤＡ２０は、ビデオカメラ１０からの情報の他に、実際の被写体に関する情報、被写体との間で交わした肖像権に関する情報、ユーザが入力した映像の編集点の情報等が保存される。
【００９０】
ところで、本実施の形態における情報収集及び生成システム１は、撮影と同時に撮影に関する情報を収集することができる。すなわち、ステップＳ１４において情報サーバ４０が収集して保存した取材に関連する情報は、撮影地のＰＤＡ２０に送信される。また、ＰＤＡ２０から撮影地の位置情報が送信されると、ステップＳ２３において、情報サーバ４０は、地図情報を検索し、これをＰＤＡ２０に送信する。さらに、ＰＤＡ２０からメタデータ等が送信されると、ステップＳ２４において、情報サーバ４０は、その中で所望の情報をキーワード化する。
【００９１】
続いてステップＳ２５において、このキーワードを基に、関連する情報を検索し、ＵＲＬのリストとしてＰＤＡ２０に送信する。これによりユーザは、撮影地で取材に関する情報を収集でき、これらを参照することができる。
【００９２】
編集点（イン点、アウト点）の情報は、ＰＤＡ２０から情報サーバ４０に送信される。また、ＰＤＡ２０に音声データが記憶されている場合、ユーザは、音声情報を聞いて、その音声から編集点（イン点、アウト点）を指定することができ、この編集点についてもＰＤＡ２０に送信される。ＰＤＡ２０に送信された編集点の情報は、ステップＳ２６において、情報サーバ４０でユーザの指定するＥＤＬフォーマットに変換され、ＥＤＬデータとして保存される。
【００９３】
ロケ撮影時には以上のようなデータの送受信が行われ、ステップＳ２７において、撮影を終了する。
【００９４】
なお、撮影開始から撮影終了までの動作は、説明の便宜上順番をつけたものであり、実際には、撮影中に随時行われている。
【００９５】
（２−３）編集制作
最後に、編集制作時の手順について図８、図９を参照しながら説明する。先ず、ステップＳ３１において、ユーザは、撮影済みの撮影用テープ１１を編集する際に、当該テープに貼付された非接触型記憶媒体１２に記憶されたテープＩＤ情報をＰＤＡ２０の読取部２４で読み取り、該当するＥＤＬデータを情報サーバ４０に問い合わせる。
【００９６】
続いてステップＳ３２において、情報サーバ４０は、当該ＥＤＬデータを検索し、編集制作装置４の編集機器５２に送信する。また、ユーザからの要求に応じて、当該テープＩＤ情報に対応するメタデータ及び情報サーバ４０が自動収集した関連情報等を編集制作装置４の編集制作端末５０に送信する。
【００９７】
ステップＳ３３において、編集制作装置４では、これらのＥＤＬデータやメタデータ、関連情報等を基に撮影用テープ１１に記録された内容を編集制作処理する。
【００９８】
（３）実施形態の効果
上述のように、本実施の形態の情報収集及び生成システム１は、いわゆるロケ撮影を行った映像データと、メタデータと、ＥＤＬデータとを、撮影用テープ１１に貼付された非接触型記憶媒体１２に固有のＩＤ情報によって対応付けられた状態で分離して管理し、編集時にそれぞれを当該ＩＤ情報を基にマッチングを取るものである。
【００９９】
このように、映像データとメタデータを分離することで、メタデータの収集加工のアウトソーシングが可能となる。また、将来メタデータの構造が確定した場合にも、情報サーバ４０で一括して変換することが可能となる。
【０１００】
また、ＧＰＳ受信部２２を活用することにより、メタデータと撮影用テープ１１のタイムコードが対応付けられた形で、別々のメディアに保存することが可能となる。
【０１０１】
さらに、メタデータを撮影データと別に管理することで、どこからでもメタデータにアクセスし、加工することができる。
【０１０２】
なお、本発明は上述した実施の形態のみに限定されるものではなく、本発明の要旨を逸脱しない範囲において種々の変更が可能であることは勿論である。
【０１０３】
例えば、ＰＤＡ２０、情報サーバ４０、編集制作端末５０の動作は、ソフトウェアで行っても構わない。一例として、編集制作端末５０の動作を行うソフトウェアについて説明する。
【０１０４】
このソフトウェアは、具体的に以下のような動作を行う。撮影前には、先ず、既に入力され取材データベース５１に記憶されている取材に関係する内容、例えば、撮影予定日、撮影場所、プロデューサー名、撮影者名、取材対象者名、取材先の連絡先、使用予定番組名等をＰＤＡ２０にダウンロードする。
【０１０５】
また、ユーザが編集制作端末５０で取材先に関連するキーワードを入力すると、このキーワードは、ネットワークを介して情報サーバ４０に登録される。このように、取材先に関連するキーワードを入力することで、上述したように、情報サーバ４０は、他の情報データベースと例えばインターネット等のネットワークで接続されているため、情報サーバ４０は、例えばプッシュ型の情報データベースから送られてくる情報を、事前に登録されたキーワードと照会し、関連情報をＰＤＡ２０に送信する。
【０１０６】
撮影後には、少なくとも次のような動作を行う。すなわち、撮影用テープ１１に貼付されている非接触型記憶媒体１２のＩＤ情報を読み取り、情報サーバ３と通信し、当該ＩＤ情報に対応するＥＤＬデータ及び関連情報をダウンロードする。また、このＥＤＬデータに基づいて粗編集を行うことができる。
【０１０７】
これにより、既存の取材データ作成環境、映像編集環境等に対して新規投資を抑えたまま、映像データ、メタデータ、及びＥＤＬデータを分離して管理することが可能となる。
【０１０８】
【発明の効果】
以上詳細に説明したように本発明に係る情報収集及び生成システムは、映像データを撮影する撮影装置と、撮影装置による映像データの撮影に関連する撮影関連情報を外部から収集し、映像データに固有の識別情報と撮影関連情報とを対応付ける情報収集装置と、情報収集装置によって対応付けられた撮影関連情報を保存するとともに、対応付けられた撮影関連情報に基づいて、映像データの編集を行うための編集データを少なくとも含むデータを生成する情報処理装置と、識別情報に基づいて、情報処理装置からデータを取り込み、映像データの編集及び映像データに基づく制作を行う編集制作装置とを備える。
【０１０９】
このような情報収集及び生成システムは、撮像装置による映像データと、映像データに収録された内容を記述したメタデータと、映像データを編集するための編集データを別々に管理することができる。
【０１１０】
これにより自由なメタデータの作成が可能となる。また、将来メタデータのデータフォーマットが決定した場合、メタデータは、情報処理装置に保存されているので、情報処理装置で一括して変換することができる。
【０１１１】
また、本発明に係る情報収集及び生成方法は、撮影装置による映像データの撮影に関連する撮影関連情報を情報収集装置によって外部から収集し、映像データに固有の識別情報と撮影関連情報とを情報収集装置によって対応付けて情報処理装置に送信し、情報収集装置によって対応付けられた撮影関連情報を情報処理装置によって保存し、対応付けられた撮影関連情報に基づいて、映像データの編集を行うための編集データを少なくとも含むデータを情報処理装置によって作成し、編集制作装置により、識別情報に基づいて、情報処理装置からデータを取り込み、映像データの編集及び映像データに基づく制作を行う。
【０１１２】
このような情報収集及び生成方法により、撮像装置による映像データと、映像データに収録された内容を記述したメタデータと、映像データを編集するための編集データを別々に管理される。
【０１１３】
これにより自由なメタデータの作成が可能となる。また、将来メタデータのデータフォーマットが決定した場合、メタデータは、情報処理装置に保存されているので、情報処理装置で一括して変換することができる。
【０１１４】
また、本発明に係る情報収集装置は、撮影装置による映像データの撮影に関連する撮影関連情報を収集する情報収集装置であって、撮影関連情報を外部から収集する収集手段と、映像データに固有の識別情報と撮影関連情報とを対応付ける対応付け手段と、対応付け手段によって対応付けた撮影関連情報を外部に送信する送信手段とを備える。
【０１１５】
このような情報収集装置は、映像データの撮影と同時にメタデータやその他の撮影関連情報を収集し、収集した情報を映像データに固有の識別情報と対応付けることができる。
【０１１６】
また、本発明に係る情報収集方法は、撮像装置による映像データの撮影に関連する撮影関連情報を収集する情報収集方法であって、撮影関連情報を外部から収集する収集工程と、映像データに固有の識別情報と撮影関連情報とを対応付ける対応付け工程と、対応付け工程にて対応付けた撮影関連情報を外部に送信する送信工程とを有する。
【０１１７】
このような情報収集方法により、映像データの撮影と同時にメタデータやその他の撮影関連情報を収集し、収集した情報を映像データに固有の識別情報と対応付けることができる。
【０１１８】
また、本発明に係る記録媒体は、撮影装置による映像データの撮影に関連する撮影関連情報を収集するコンピュータ制御可能な情報収集プログラムが記録された記録媒体であって、情報収集プログラムは、撮影関連情報を外部から収集する収集工程と、映像データに固有の識別情報と撮影関連情報とを対応付ける対応付け工程と、対応付け工程にて対応付けた撮影関連情報を外部に送信する送信工程とを有することを特徴とする情報収集プログラムが記録されたものである。
【０１１９】
このような記録媒体により、特別な装置がなくても映像データの撮影と同時にメタデータやその他の撮影関連情報を収集し、収集した情報を映像データに固有の識別情報と対応付けることができる。
【０１２０】
また、本発明に係る情報処理装置は、撮影装置によって撮影された映像データに固有の識別情報に対応付けられた映像データの撮影に関連する撮影関連情報を処理する情報処理装置であって、撮影関連情報を外部から受信する受信手段と、受信手段によって受信した撮影関連情報を保存する記憶手段と、撮影関連情報に基づいて、映像データの編集を行うための編集データを少なくとも含むデータを作成するデータ作成手段と、データを外部に送信する送信手段とを備える。
【０１２１】
このような情報処理装置は、映像データに固有の識別情報に対応付けられたメタデータ等の撮影関連情報を保存し、必要に応じて外部に送信する。また、編集データ等のデータを作成することができる。
【０１２２】
また、メタデータを含む撮影関連情報を映像データと別に管理することで、どこからでもメタデータにアクセスすることが可能である。
【０１２３】
また、本発明に係る情報処理方法は、撮影装置によって撮影された映像データに固有の識別情報に対応付けられた映像データの撮影に関連する撮影関連情報を処理する情報処理方法であって、撮影関連情報を外部から受信する受信工程と、受信工程にて受信した撮影関連情報を記憶手段に保存する保存工程と、撮影関連情報に基づいて、映像データの編集を行うための編集データを少なくとも含むデータを作成するデータ作成工程と、データを外部に送信する送信工程とを有する。
【０１２４】
このような情報処理方法により、映像データに固有の識別情報に対応付けられたメタデータ等の撮影関連情報を保存し、必要に応じて外部に送信する。また、編集データ等のデータを作成することができる。
【０１２５】
また、本発明に係る記録媒体は、撮影装置によって撮影された映像データに固有の識別情報に対応付けられた映像データの撮影に関連する撮影関連情報を処理するコンピュータ制御可能な情報収集プログラムが記録された記録媒体であって、情報処理プログラムは、撮影関連情報を外部から受信する受信工程と、受信工程にて受信した撮影関連情報を記憶手段に保存する保存工程と、撮影関連情報に基づいて、映像データの編集を行うための編集データを少なくとも含むデータを作成するデータ作成工程と、データを外部に送信する送信工程とを有することを特徴とする情報処理プログラムが記録されたものである。
【０１２６】
このような記録媒体により、特別な装置がなくても映像データに固有の識別情報に対応付けられたメタデータ等の撮影関連情報を保存し、必要に応じて外部に送信する。また、編集データ等のデータを作成することができる。
【０１２７】
また、本発明に係る編集制作装置は、撮影装置によって撮影された映像データの編集及び映像データに基づく制作を行う編集制作装置であって、映像データに固有の識別情報に基づいて、情報処理装置に保存されている映像データの編集を行うための編集データを少なくとも含むデータを取り込む取込手段と、取込手段によって取り込んだデータに基づいて、映像データの編集及び映像データに基づく制作を行う処理手段とを備える。
【０１２８】
このような編集制作装置は、映像データに固有の識別情報と対応付けられた編集データ等のデータを取り込み、映像データの編集及び映像データに基づく制作を行うことができる。
【０１２９】
また、本発明に係る編集制作方法は、撮影装置によって撮影された映像データの編集及び映像データに基づく制作を行う編集制作方法であって、映像データに固有の識別情報に基づいて、情報処理装置に保存されている映像データの編集を行うための編集データを少なくとも含むデータを取り込む取込工程と、取込工程にて取り込んだデータに基づいて、映像データの編集及び映像データに基づく制作を行う処理工程とを有する。
【０１３０】
このような編集制作方法により、映像データに固有の識別情報と対応付けられた編集データ等のデータを取り込み、映像データの編集及び映像データに基づく制作を行うことができる。
【０１３１】
また、本発明に係る記録媒体は、撮影装置によって撮影された映像データの編集及び映像データに基づく制作を行うコンピュータ制御可能な編集制作プログラムが記録された記録媒体であって、編集制作プログラムは、映像データに固有の識別情報に基づいて、情報処理装置に保存されている映像データの編集を行うための編集データを少なくとも含むデータを取り込む取込工程と、取込工程にて取り込んだデータに基づいて、映像データの編集及び映像データに基づく制作を行う処理工程とを有することを特徴とする編集制作プログラムが記録されたものである。
【０１３２】
このような記録媒体により、特別な装置がなくても映像データに固有の識別情報と対応付けられた編集データ等のデータを取り込み、映像データの編集及び映像データに基づく制作を行うことができ、新規投資を抑えることができる。
【図面の簡単な説明】
【図１】本発明の実施の形態における情報収集及び生成システムの構成を説明する図である。
【図２】同情報収集及び生成システムの携帯情報端末の構成を説明する図である。
【図３】同情報収集及び生成システムの一連の動作を概略説明するフローチャートである。
【図４】同情報収集及び生成システムの撮影前の動作に関係する部分の構成を説明する図である。
【図５】同情報収集及び生成システムの撮影前の動作を説明したフローチャートである。
【図６】同情報収集及び生成システムのロケ撮影時の動作に関係する部分の構成を説明する図である。
【図７】同情報収集及び生成システムのロケ撮影時の動作を説明したフローチャートである。
【図８】同情報収集及び生成システムの編集制作時の動作に関係する部分の構成を説明する図である。
【図９】同情報収集及び生成システムの編集制作時の動作を説明したフローチャートである。
【符号の説明】
１  情報収集及び生成システム、２  撮影部、３  情報保存部、４  編集制作部、１０  ビデオカメラ、１１  撮影用テープ、１２  非接触型記憶媒体、２０携帯情報端末、３０  携帯端末、４０  情報サーバ、５０  編集制作端末、５１  取材データベース、５２  編集機器
【図１】
0004483091.tif 000002
【図２】
0004483091.tif 000003
【図３】
0004483091.tif 000004
【図４】
0004483091.tif 000005
【図５】
0004483091.tif 000006
【図６】
0004483091.tif 000007
【図７】
0004483091.tif 000008
【図８】
0004483091.tif 000009
【図９】
0004483091.tif 000010